(57)【要約】【課題】複数の棒状光源を並設してなる面状光源において、輝度ムラを極めて低く抑え、棒状光源の並び方向外側における配光性も向上させる。【解決手段】略一定の平面内において、それぞれの長軸と交わる方向に並べて配置された複数の棒状光源13と、該光源13の前方側に配されて、該光源13から発せられた光を拡散させる拡散板14とを備えてなる面状光源において、前記拡散板14として、１つの光源13の長軸からの距離を略一定に保ちながら、この長軸周りに湾曲した部分を有する波形形状のものを用いる。【選択図】図１
2007273223.tif 000002
【特許請求の範囲】
【請求項１】
略一定の平面内において、それぞれの長軸と交わる方向に並べて配置された複数の棒状光源と、
該光源の前方側に配されて、該光源から発せられた光を拡散させる拡散板とを備えてなる面状光源において、
前記拡散板が、１つの前記光源の長軸からの距離を略一定に保ちながら、この長軸周りに湾曲した部分を有する波形のものとされていることを特徴とする面状光源。
【請求項２】
前記拡散板が、乳白色の半透明アクリル板からなることを特徴とする請求項１記載の面状光源。
【発明の詳細な説明】
【技術分野】
【０００１】
本発明は面状光源に関し、特に詳細には、棒状光源が複数並設されてなる面状光源に関するものである。
【背景技術】
【０００２】
従来、例えば広告用ディスプレイや室内照明用に、面状光源が広範に利用されている。そのような面状光源としては、ＥＬ（エレクトロ・ルミネッセンス）光源のように発光体自体が面状になっているものの他に、複数の蛍光ランプ等の棒状光源を並設して用いるものも知られている。
【０００３】
この後者の面状光源は基本的に、一例として特許文献１に示されるように、略一定の平面内において、それぞれの長軸と交わる方向（多くの場合は直交する方向）に並べて複数の棒状光源を配置し、それらの前方側つまり光取り出し側に、輝度を均一化する乳白色半透明板等の拡散板を配置するとともに、光源の後方側には反射部材を配して構成されたものである。
【特許文献１】特開２０００−２８５７０３号公報
【発明の開示】
【発明が解決しようとする課題】
【０００４】
上に述べた特許文献１に示されるような構造は、面状光源の輝度を均一化する上で一定の効果を有するものであるが、輝度ムラを低減する上でさらに改良の余地が残されている。またその構造は、特に測外方つまり棒状光源の並び方向の外側への配光性が低く、その方向に有る物を十分高い照度で照明することが難しいという問題も認められる。
【０００５】
本発明は上記の事情に鑑みてなされたものであり、複数の棒状光源を並設してなる面状光源において、輝度ムラを極めて低く抑え、また棒状光源の並び方向外側への配光性も改善することを目的とする。
【課題を解決するための手段】
【０００６】
本発明による面状光源は、先に述べたような拡散板は従来平板状に形成されていたのに対し、これを波形のものとすることによって輝度均一化の効果を高めたものであり、具体的には、
略一定の平面内において、それぞれの長軸と交わる方向に並べて配置された複数の棒状光源と、
該光源の前方側に配されて、該光源から発せられた光を拡散させる拡散板とを備えてなる面状光源において、
前記拡散板が、１つの前記光源の長軸からの距離を略一定に保ちながら、この長軸周りに湾曲した部分を有する波形のものとされていることを特徴とするものである。
【０００７】
なお上記の拡散板は、例えば乳白色の半透明アクリル板を好適に用いて形成することができる。
【発明の効果】
【０００８】
本発明による面状光源は、従来平板状に形成されていた拡散板を上述の通りの波形のものとしたことにより、従来の面状光源と比べて輝度均一化の効果がより高いものとなり、また、棒状光源の並び方向外側への配光性も良好なものとなる。その具体的な改善効果については、後述する実施形態に沿って詳しく説明する。
【発明を実施するための最良の形態】
【０００９】
以下、図面を参照して本発明の実施形態を詳細に説明する。
【００１０】
図１および図２はそれぞれ、本発明の一実施形態による面状光源10を示す一部破断斜視図である。図示の通りこの面状光源10は、矩形の有底箱状に形成されたケース11と、その底板11ａと平行にしてこのケース11内に固定された反射板12と、ケース11の側板（図１では破断してある）に図示外の取付け器具を介して固定された複数の直管状蛍光ランプ13と、この蛍光ランプ13の前方側（光取り出し側で、図中上方側）に配置された拡散板14とから構成されている。
【００１１】
本実施形態における蛍光ランプ13は一例として直径８ｍｍの冷陰極ランプであり、同じ長さのものが６本、各長軸と直交する方向に６４ｍｍピッチで並べて、各々ケース底板11ａから等距離の位置に配されている。すなわち本例では、これらの蛍光ランプ13が、ケース底板11ａと平行な一平面内に各ランプ長軸が含まれる状態に配置されている。
【００１２】
反射板12は、表面に高反射率の白色塗装が施された金属板あるいは樹脂板等から形成されている。
【００１３】
拡散板14は、例えば厚さが２ｍｍ程度である乳白色の半透明アクリル板等から形成されて、１つの蛍光ランプ13の長軸からの距離を略一定に保ちながら、この長軸周りに湾曲した部分を有する波形のものとされている。なお図１では、この拡散板14の手前側の側面を破断してあるが、この側面は閉じられている。またこの拡散板14は、ケース11の内面に固定された図示外の取付具に、４つの取付ネジ15を介して固定されている。蛍光ランプ13の取り替え等に際しては、取付ネジ15を緩めて拡散板14をケース11から取り外せば、このケース11の内部が開放される。
【００１４】
またケース11の底板11ａ上には、反射板12の裏側に位置する状態にして、蛍光ランプ13の点灯回路等が配設されている。
【００１５】
なお拡散板14の前方側には、透明アクリル板等から形成されて該拡散板14を保護する透明カバー板を適宜配設してもよい。また、本実施形態の面状光源10が広告看板等のディスプレイを裏側から照明する光源として用いられる場合は、上記のような透明カバー板に代えて、広告等の表示がなされたディスプレイ体を適用すればよい。あるいは、そのようなディスプレイ体を、透明カバー板の上にさらに重ねて配置してもよい。
【００１６】
以下、上記構成を有する本実施形態の面状光源10の作用について説明する。拡散板14は、図２に示すように各蛍光ランプ13から発せられた光Ｌ１を拡散させることにより、該拡散板14の略全面から出射する光の輝度をその面内において均一化する。また、各蛍光ランプ13から後方側に出射した光Ｌ２は、反射部材12で反射してから前方側に出射し、その光路はまちまちなものとなって拡散板14に至るので、この点からも、拡散板14の面内の輝度を均一化する効果が得られる。
【００１７】
ここで本実施形態の面状光源10においては、拡散板14が前述の通りの波形のものとされていることにより、平板状の拡散板を用いる従来の面状光源と比べて、輝度均一化の効果がより高く、また、複数の蛍光ランプ13の並び方向外側への配光性も良好なものとなっている。以下、その点について詳しく説明する。
【００１８】
図２は、本実施形態の面状光源10を、その前面が上を向く状態にして平行に置き、複数の蛍光ランプ13の並び方向に間隔を置いて並ぶ６箇所において、その位置に配された照明面における照度を測定した結果を示すものである。なお、ここにおける数値の単位はルクス（ｌｘ）である。また、上記６箇所のうち図中右側から１番目の箇所は、最外側の隣の蛍光ランプ13の直上位置（波形拡散板14の山部の直上位置）、２番目の箇所は最外側の蛍光ランプ13とその隣の蛍光ランプ13の中間位置（波形拡散板14の谷部の直上位置）、３番目の箇所は最外側の蛍光ランプ13の直上位置（波形拡散板14の山部の直上位置）、４番目以降の箇所は全てその右側の箇所から１００ｍｍ離れた位置である。また、上記右側から２〜６番目の箇所では全て蛍光ランプ13から１００ｍｍの位置で測定を行うとともに、いくつかの箇所では、そこからさらに１００ｍｍずつ離れた位置で測定を行い、右側から１番目の箇所では、蛍光ランプ13から２００ｍｍの位置でのみ測定を行った。
【００１９】
そして比較のために、図３に示すように、上記実施形態の面状光源10の波形拡散板14を従来公知の平板形拡散板24に取り替えた面状光源を作製し、それに関しても上記と同様の測定を行った。その結果も図３に併せて示してある。
【００２０】
これらの図２と図３とを比較すると明らかなように、従来の面状光源では２つの蛍光ランプ13どうしの中間位置（右から２番目の測定箇所）において照度が低くなってしまう傾向が有るのに対し、本実施形態の面状光源10によればこの傾向が顕著に低減されており、輝度均一化の効果が高いことが分かる。また、複数の蛍光ランプ13の並び方向外側の位置である４，５および６番目の箇所の照度も、従来装置と比べて本実施形態の面状光源10における方がそれぞれ高くなっており、蛍光ランプ13の並び方向外側への配光性も改善されていることが分かる。
【００２１】
以上、棒状光源として直管状の蛍光ランプ13が用いられた実施形態について説明したが、本発明において用いられる棒状光源はそれに限られるものではなく、従来公知のその他の棒状光源、例えば発光ダイオードアレイ等や、さらには湾曲した形状の棒状光源も適用可能であり、そのようにした場合も、先に説明した本発明の効果を同様に奏するものである。
【００２２】
また以上説明した実施形態においては、複数の棒状光源、拡散板をそれぞれ概略的にＢ、Ｓとし、また棒状光源の並び方向を矢印Ａで表すと、図４に示す通りの光源配置パターンを有するものであるが、本発明においてはその他の光源配置パターンを適用することも可能である。以下、そのような光源配置パターンの例について説明する。
【００２３】
図５に示すパターンは、複数の同じ長さの棒状光源Ｂが、それぞれの長軸と直交する方向に並び、かつ該長軸の方向に違いにずれた状態に配置されたものである。この場合は拡散板Ｂとして図示のような形状のものが用いられ、平行四辺形状の面状光源が構成されることになる。
【００２４】
図６に示すパターンは、長さが互いに異なる複数の棒状光源Ｂが、それぞれの長軸と直交する方向に、長さ順に並べられたものである。この場合は拡散板Ｓとして図示のような形状のものが用いられ、三角形状の面状光源が構成されることになる。
【００２５】
図７に示すパターンは、複数の同じ長さの棒状光源Ｂが放射状に並べられたものである。つまりこの場合の棒状光源の並び方向Ａは、円弧に沿ったものとなる。そしてこの場合は拡散板Ｓとして図示のような形状のものが用いられ、半円形状の面状光源が構成されることになる。
【図面の簡単な説明】
【００２６】
【図１】本発明の一実施形態による面状光源の一部破断斜視図
【図２】図１の面状光源による照明部分の照度を測定した結果を示す説明図
【図３】従来の面状光源による照明部分の照度を測定した結果を示す説明図
【図４】本発明の面状光源における光源配置パターン例を示す概略図
【図５】本発明の面状光源における光源配置パターンの別の例を示す概略図
【図６】本発明の面状光源における光源配置パターンのさらに別の例を示す概略図
【図７】本発明の面状光源における光源配置パターンのさらに別の例を示す概略図
【符号の説明】
【００２７】
10    面状光源
11    ケース
12    反射部材
13    直管状蛍光ランプ
14    拡散板
【図１】
2007273223.tif 000003
【図２】
2007273223.tif 000004
【図３】
2007273223.tif 000005
【図４】
2007273223.tif 000006
【図５】
2007273223.tif 000007
【図６】
2007273223.tif 000008
【図７】
2007273223.tif 000009